(57)【要約】【課題】一面側に突起形状の形成されている衛生紙を取出口から快適に取り出すことを実現して、優れる衛生紙を提供すること。【解決手段】１枚または数枚ずつスリット１７から取り出し可能に折り畳まれて積み重ねた状態の複数枚のキッチンペーパーＰの束１０Ｂが収納箱１０に収納されているキッチンペーパーパッケージ１０Ｐであって、キッチンペーパーは、一面側の全体の複数個所に浮き出る突起形状Ｅｍがエンボス加工により形成されて、当該突起形状の形成表面Ｓｆ同士および該形成面の裏面Ｓｂ同士がそれぞれ対面するように２つ折りにされて順次かつ交互に少なくとも半面Ｐｈの一部を挟み込むように積み重ねた状態で収納されている。【選択図】図４
2020186010.tif 000002
【特許請求の範囲】
【請求項１】
１枚または数枚ずつ取出口から取り出し可能に折り畳まれて積み重ねた状態の複数枚の衛生紙の束が包装体に収納されている衛生紙パッケージであって、
前記衛生紙は、一面側の全体の複数個所に浮き出る突起形状が形成されて、当該突起形状の形成面同士および該形成面の裏面同士がそれぞれ対面するように２つ折りにされて順次かつ交互に少なくとも半面の一部を挟み込むように積み重ねた状態で収納されていることを特徴とする衛生紙パッケージ。
【請求項２】
前記包装体が収納箱であることを特徴とする請求項１に記載の衛生紙パッケージ。
【請求項３】
前記包装体が収納袋であることを特徴とする請求項１に記載の衛生紙パッケージ。
【請求項４】
前記取出口は、前記衛生紙の取り出し方向と交差するスリット状の形態で前記包装体の一面に開口していることを特徴とする請求項１から請求項３のいずれか１項に記載の衛生紙パッケージ。
【請求項５】
前記衛生紙は、一方の端辺側が前記取出口から外部に露出する状態で使用時に引き出されるのを待機し、当該引き出し時に後続する挟み込まれている端辺側が当該取出口から外部に露出状態になって待機する構造に積み重ねられていることを特徴とする請求項１から請求項４のいずれか１項に記載の衛生紙パッケージ。
【請求項６】
収納される包装体の取出口から１枚または数枚ずつ取り出し可能に折り畳まれて積み重ねた状態の複数枚の衛生紙の束であって、
前記衛生紙は、一面側の全体の複数個所に浮き出る突起形状が形成されて、当該突起形状の形成面同士および該形成面の裏面同士がそれぞれ対面するように２つ折りにされて順次かつ交互に少なくとも半面の一部を挟み込むように積み重ねられていることを特徴とする衛生紙束。
【発明の詳細な説明】
【技術分野】
【０００１】
本発明は、エンボス加工などによる突起形状が一面側に形成されているキッチンペーパーやペーパータオルなどの衛生紙のパッケージや束やその束に関する。
【背景技術】
【０００２】
ティッシュペーパーなどの薄めの薄葉紙（衛生紙）は、柔らかい肌触りで使用することから、できるだけ滑らかな形態に作製されて、２つ折りに畳まれて積み重ねられた束にされた後に、清潔な状態を保つことのできるスリット状の取出口から引き出し可能に収納箱などの包装体内に収納されてパッケージ化されている。
【０００３】
これに対して、厚めの薄葉紙のキッチンペーパーやペーパータオルなどでも、清潔な状態を保つ要請に応える場合に、例えば、特許文献１に記載のように、ティッシュペーパーなどと同様の構造の収納箱内に収納してパッケージ化されるときもある。
【先行技術文献】
【特許文献】
【０００４】
【特許文献１】特開２０１５−１１７０５２号公報
【発明の概要】
【発明が解決しようとする課題】
【０００５】
ところで、近時のキッチンペーパーなどの衛生紙にあっては、エンボス加工による突起形状が一面側に形成されて浮き出ている形態が多用されており、このエンボス加工により形状維持等の好適な作用効果を得て、使い勝手が向上されている。
【０００６】
しかしながら、エンボス加工による突起形状が一面側に形成されているキッチンペーパーなどの衛生紙を収納箱に収納して使用する場合、対面する状態にある突起形状同士が干渉して潰れるなどしてしまい、使用する際に突起形状による模様等が崩れてしまい美観が損なわれるなどの問題が発生する可能性がある。
【０００７】
そこで、本発明は、一面側に突起形状の形成されている衛生紙を取出口から快適に取り出すことを実現して、優れる衛生紙を提供することを目的としている。
【課題を解決するための手段】
【０００８】
上記課題を解決する衛生紙の発明の一態様は、１枚または数枚ずつ取出口から取り出し可能に折り畳まれて積み重ねた状態の複数枚の衛生紙の束が包装体に収納されている衛生紙パッケージであって、前記衛生紙は、一面側の全体の複数個所に浮き出る突起形状が形成されて、当該突起形状の形成面同士および該形成面の裏面同士がそれぞれ対面するように２つ折りにされて順次かつ交互に少なくとも半面の一部を挟み込むように積み重ねた状態で収納されていることを特徴とするものである。
【０００９】
上記課題を解決する衛生紙束の発明の一態様は、収納される包装体の取出口から１枚または数枚ずつ取り出し可能に折り畳まれて積み重ねた状態の複数枚の衛生紙の束であって、前記衛生紙は、一面側の全体の複数個所に浮き出る突起形状が形成されて、当該突起形状の形成面同士および該形成面の裏面同士がそれぞれ対面するように２つ折りにされて順次かつ交互に少なくとも半面の一部を挟み込むように積み重ねられていることを特徴とするものである。
【発明の効果】
【００１０】
このように本発明の一態様によれば、突起形状の形成面同士および該形成面の裏面同士を対面させるように２つ折りにして順次かつ交互に積み重ねる衛生紙を包装体の取出口から引き出す際に、その衛生紙は、突起形状の形成面と裏面とが対面する状態で連続して引き出されることになり、その突起形状の先端側が突起形状の裏面側開口内に適宜に差し込まれる状態になって引き出される。
【００１１】
このため、後続の衛生紙が取出口の内側に残存した状態のまま先行する衛生紙を取り出してしまうことが少なく、また、このときには、突起形状の先端側同士が突き当たって変形してしまうことが少なく、２つ折りの衛生紙の後続する半面の一部を取出口から露出する状態にすることができる。また、衛生紙は、突起形状の先端側が突起形状の裏面側開口内に適宜に差し込まれることによって包装体内で積み重なる厚さを小さくすることができる。
【００１２】
したがって、一面側に突起形状が形成されて、包装体内に積み重ねる状態で収納される衛生紙を、厚さを小さくして嵩張ることを少なくしつつ、取出口から快適に取り出すことができる。
【図面の簡単な説明】
【００１３】
【図１】図１は、本発明の一実施形態に係る衛生紙束を収納箱に収納したパッケージの全体構成を示す外観図である。
【図２】図２は、収納箱の取出口の構成を示す平面図である。
【図３】図３は、使用前の衛生紙束の状態を示す収納箱上部の縦断面図である。
【図４】図４は、衛生紙の折り畳み積み重ね状況を説明する側方からの概念図である。
【図５】図５は、衛生紙束の収納箱への梱包を説明する斜視図である。
【図６】図６は、衛生紙の引き出し前の状態を示す収納箱上部の縦断面図である。
【図７】図７は、その他の実施形態の収納袋のパッケージの全体構成を示す外観図である。
【発明を実施するための形態】
【００１４】
以下、図面を参照して、本発明の実施形態について詳細に説明する。図１〜図６は本発明の一実施形態に係る衛生紙の一例であるキッチンペーパーパッケージ、キッチンペーパー束、および、キッチンペーパー束の作製方法を説明する図である。
【００１５】
図１において、収納箱１０は、通常のエンボス加工による突起形状Ｅｍ（図４を参照）が形成されている汎用の紙質のキッチンペーパー（薄葉紙、衛生紙）Ｐを１枚ずつ取り出すことができるように収納してパッケージ化する際に使用するケース（包装体、容器）であり、２つ折りに畳んだ複数枚のキッチンペーパーＰを積み重ねた束１０Ｂが収納されている。収納箱１０は、上面１１がキッチンペーパーＰを２つ折りした長方形に相似する形状に形成されて、短尺な側面１２および長尺な側面１３がキッチンペーパーＰの束１０Ｂの厚さ程度の直方体のボックス形状に作製されている。収納箱１０は、後述する図５に示すように、その短尺な側面１２を開口させた状態でキッチンペーパーＰの束１０Ｂを差し込んだ後に閉止するようになっている。ここで、本実施形態では、衛生紙がキッチンペーパーの場合を一例として説明するが、これに限るものではなく、例えば、手拭等に使用する、所謂、ペーパータオルなどでもよく、他のエンボス加工を施されて一面側に突起形状が形成されている衛生紙に適用してもよいことはいうまでもない。
【００１６】
この収納箱１０は、上面１１、側面１２、１３および底面（不図示）が厚紙で作製されて、そのうちの一面である上面１１の中央付近に、長手方向に延長されている長穴１５が形成されている。長穴１５は、収納箱１０内に収納する最上面のキッチンペーパーＰを摘むことができるように、指先を差し込み可能な程度の面積で開口しており、その指先で変形可能な可撓性を有するビニル樹脂等のフィルム１６によりホコリ等が収納箱１０内に侵入しないように閉塞されている。フィルム１６は、長穴１５の長手方向に延長されているスリット１７が形成されて、そのスリット１７を開口させることにより収納箱１０内のキッチンペーパーＰの最上位Ｐｔを引き出して端辺Ｐｅ側（２つ折りの折辺側の場合もある）から取り出すことができるようになっている。
【００１７】
これにより、収納箱１０は、内部に収納するキッチンペーパーＰをホコリ等に汚損されずに清潔な状態に維持している。また、スリット１７は、キッチンペーパーＰの端辺Ｐｅと平行な延長方向に形成されており、言い換えると、そのキッチンペーパーＰの引き出される方向に対して直交（交差）する方向に延長される形態で開口するように形成されている。すなわち、スリット１７がキッチンペーパーＰを清潔に保持しつつ取り出し可能に開口される取出口を構成している。
【００１８】
ここで、キッチンペーパーＰは、最上位Ｐｔの２つ折りの間に、後続の半面Ｐｈを挟み込んでその半面Ｐｈの片側をさらに後続の２つ折りの間に挟み込む形態を連続させることにより積み重ねられて収納箱１０内に収納されている。この収納形態では、最上面のキッチンペーパーＰが摘まれてスリット１７から引き出される際に、その２つ折りの間に挟み込まれている後続のキッチンペーパーＰが摩擦力で引き摺られて、そのスリット１７から半面Ｐｈが露出することになる。これにより、キッチンペーパーＰは、次の引き出し時に容易に摘むことができる形態で待機するようになっていて、使い勝手に優れるパッケージ１０Ｐになっている。ここで、キッチンペーパーＰは、後述する工程作業によって、必ずしも半面Ｐｈの全面が規則正しく交互に挟み込まれて積み重ねられる必要はなく、作業工程の精度などの諸事情の下、例えば、半面Ｐｈのうちの少なくとも半分以上（一部）が交互に挟み込まれて積み重ねられることで十分に引き出すことが可能である。
【００１９】
また、キッチンペーパーＰは、キッチンで使用するものであり、例えば、調理途中の食材から水分や油分等を効果的に取り去ることができるように、吸水性や吸油性などに優れるティッシュペーパーなどよりも厚めの薄葉紙に作製されている。また、キッチンペーパーＰは、例えば、食材をトレーなどから離隔させて載せることができるように高さを確保する突起形状Ｅｍを一面側の全体の複数個所に浮き出させるエンボス加工が多用されている。
【００２０】
ここで、キッチンペーパーＰは、坪量１５〜２５ｇ／ｍ2（測定方法：ＪＩＳ  Ｐ  ８１２４［１９９８］）のクレープ紙により構成するのが好適であり、より好ましくは１９〜２３ｇ／ｍ2の坪量にするのがよい。このクレープ紙は、繊維材料として、キッチンペーパーに適した既知の組成のパルプ繊維が採用されて作製されており、バージンパルプを９０〜１００質量％含むのが適している。本件発明の特有の効果が顕著になるパルプ組成としては、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプと、を適宜の比率で配合するものがよく、特に、針葉樹パルプ：広葉樹パルプの比が１（２５％）：３（７５％）〜１（５０％）：１（５０％）にするのが最適である。また、このキッチンペーパーＰの紙厚は、好ましくは１４０〜２７０μｍ、より好ましくは１７０〜２７０μｍ（測定方法：ＪＩＳ  Ｐ  ８１１８）とするのが適している。これにより、キッチンペーパーＰは、吸水性や吸油性などに優れていて、キッチンでの使用に適している。
【００２１】
また、キッチンペーパーＰは、５０〜９０μｍの高さの突起形状Ｅｍがエンボス加工により形成されており、その突起形状Ｅｍの凹部の空間のキッチンペーパーＰの平面方向における開口部分の最大断面積は１．４〜４．２ｍｍ2に、好ましくは２．８〜３．５ｍｍ2になるように作製されている。このキッチンペーパーＰは、離隔間隔が２〜５ｍｍ程度のパターンで突起形状Ｅｍがエンボス加工により形成されている。これにより、キッチンペーパーＰは、拭き取り時などに必要な強度を得ることができ、キッチンでの使用に適している。
【００２２】
なお、このキッチンペーパーＰは、クレープ紙１枚（所謂、１プライ）を２つ折りにして利用する形態でも、また、クレープ紙２枚（所謂、２プライ）またはクレープ紙３枚（所謂、３プライ）以上の積層構造の一組を２つ折りにして１枚と同様に利用する形態のいずれでもよく、本実施形態では２プライの形態を１枚として利用する場合を一例にして説明する。
【００２３】
そして、収納箱１０は、図２に示すように、スリット１７の長さ（両端部１７ａ間の長さ）がそのスリット１７の延長方向と交差する収納箱１０の角部（両端部）１０ｅ間の長さの７５％以上、本実施形態では７５％になるように形成されている。ここで、本実施形態のスリット１７は、収納箱１０の上面１１の長手方向側辺１１ａと平行に形成されているので、その延長方向両端部がその上面１１の短尺方向側辺１１ｂの角部１０ｅと直交している。なお、本実施形態の収納箱１０は、上面１１の長手方向側辺１１ａと平行のスリット１７が取出口として形成されているが、これに限るものではない。例えば、収納箱１０の上面１１の長手方向側辺１１ａに対して斜めに傾くスリットを形成してもよく、この場合には、そのスリットの延長方向が上面１１の短尺方向側辺１１ｂと斜めに交差して、その交点に位置する角部１０ｅ間の７５％の長さにスリットを形成すればよい。
【００２４】
例えば、このような収納箱１０としては、一般的なサイズのキッチンペーパーＰを収納する箱型（後述する袋タイプも含めて）の場合、好ましくは４５〜１００ｍｍ、より好ましくは６０〜９０ｍｍ程度の高さに作製し、そのキッチンペーパーＰの収容枚数としては（２枚重ねの２プライを１枚として）好ましくは５０〜１４０枚、より好ましくは６０〜１００枚、さらに好ましくは６０〜９０枚程度とするのが、使い勝手が良く、また、コンパクトで、かつエンボス形状のつぶれを抑制することができて好適である。
【００２５】
この構造により、収納箱１０は、長穴１５（スリット１７）と両端部の角部１０ｅとの間に、上面１１が介在して、言い換えると、構成部材の厚紙が残存して、その角部１０ｅの断面直角となる形状に起因する強度を利用することができ、収納箱１０のボックス形状を効果的に維持することができる。
【００２６】
具体的には、キッチンペーパーＰは、図３に示すように、使用開始前の収納箱１０内に２つ折りに畳まれて積み重ねられた束１０Ｂの状態で収納されて、その収納箱１０の上面１１から最上面が離隔している。また、このキッチンペーパーＰは、収納される収納箱１０の角部１０ｅ間と略同等の長さの端辺Ｐｅを有し、２つ折りされた折辺Ｐｆも同等の長さを有して収納箱１０に積み重ねられて束１０Ｂにされている。
【００２７】
このキッチンペーパーＰは、使用する場合、収納箱１０の上面１１の長穴１５内に位置するスリット１７をフィルム１６の可撓性を利用して広げることにより指先を差し込んで最上面を摘み最上位Ｐｔから引き出すことができる（後述する図６を参照）。これにより、キッチンペーパーＰは、最上位Ｐｔの半面Ｐｈをそのスリット１７から外部に引き出した状態で次の使用に待機させることができ、また、そのまま最上位Ｐｔをスリット１７から引き出すことにより、２つ折りの間に挟む次のキッチンペーパーＰの半面Ｐｈを摩擦力で引き摺って（後続させて）外部に露出させ待機状態にすることができる。この結果、次に使用するキッチンペーパーＰは、スリット１７から露出する半面Ｐｈを摘んで容易に引き出して取り出すことができる。
【００２８】
そして、キッチンペーパーＰは、図４に示すように、浮き出るようにエンボス加工により形成されている突起形状Ｅｍの形成面を表面Ｓｆ側として対面させるように２つ折りにされて、また、その突起形状Ｅｍの形成面裏を裏面ＳＢ側として対面させるように２つ折りにされて、順次にその半面Ｐｈを交互に挟み込む状態で積み重ねた束１０Ｂに作製される。このキッチンペーパーＰは、梱包工程を図示する図５に示すように、その束１０Ｂの状態のまま、短尺側の側面１２を開放状態にした収納箱１０内に差し込まれた後に、その側面１２の上片１２ａと下片１２ｂとが長尺側の側面１３側の延長片１３ａ、１３ｂに接着されることで、その開口が閉止されて梱包されることによりパッケージ１０Ｐにされている。すなわち、キッチンペーパーＰは束１０Ｂの作製方法の実施後に収納箱１０内に梱包されてパッケージ化されている。
【００２９】
この束１０ＢのキッチンペーパーＰは、図４に示すように、突起形状Ｅｍの形成面である表面Ｓｆ、または、その形成表面Ｓｆの裏面Ｓｂが内面で対面するように２つ折りされて、その形成表面Ｓｆと裏面Ｓｂとが互いに対面するように別個２枚のキッチンペーパーＰの半面Ｐｈが交互かつ順次に挟み込まれて積み重ねられている。この状態のキッチンペーパーＰの束１０Ｂは、２つ折りされて積み重ねられた半面Ｐｈの天井面（最上面）側および床面（最下面）側に、その形成表面Ｓｆの突起形状Ｅｍまたは裏面Ｓｂの平面形状Ｐｎが位置している。
【００３０】
このキッチンペーパーＰは、図３および図６に示す使用開始前の収納形態での最上位Ｐｔの上面が摘まれてスリット１７から引き出される際に、その２つ折りの間に挟み込まれている後続のキッチンペーパーＰの天井面側の半面Ｐｈが摩擦力で引き摺られて、そのスリット１７から外部に露出することになる。
【００３１】
このとき、キッチンペーパーＰは、別個２枚の半面Ｐｈに形成されている突起形状Ｅｍの形成表面Ｓｆとその裏面Ｓｂとが互いに対面しているので、収納箱１０のスリット１７から連続して引き出される際に、その形成表面Ｓｆの突起形状Ｅｍ同士が引っ張られる負荷の掛かる状態で突き当たってしまうことがなく、その突起形状Ｅｍが変形して模様等による美観などが低下してしまうことがない。このキッチンペーパーＰは、突起形状Ｅｍの先端側が裏面Ｓｂの平面形状Ｐｎに突き当たるのと同時に、その裏面Ｓｂ内に形成されている突起形状Ｅｍの凹形状開口内に形成表面Ｓｆ側の突起形状Ｅｍの凸形状先端が適宜に差し込まれて、より確実に引き出されてスリット１７の外部に一部が露出される。また、このようにキッチンペーパーＰは、対面する突起形状Ｅｍの凹形状開口内に突起形状Ｅｍの凸形状先端が適宜に入り込むことで束１０Ｂの厚さを小さくして嵩張ることを低減することができる。
【００３２】
これにより、キッチンペーパーＰは、次の引き出し時に外部に一部露出する天井面側の半面Ｐｈを容易に摘んで使用することができる使い勝手に優れるコンパクトなパッケージ１０Ｐになっている。
【００３３】
このように、本実施形態のキッチンペーパーＰの束１０Ｂが収納箱１０に収納されているパッケージ１０Ｐにあっては、突起形状Ｅｍの形成表面Ｓｆ同士とその裏面Ｓｂ同士とを対面させるように２つ折りして順次かつ交互に半面Ｐｈを挟み込んで積み重ねている。
【００３４】
このため、キッチンペーパーＰの束１０Ｂは、収納箱１０のスリット１７から引き出す際に、突起形状Ｅｍ同士が突き当たって変形してしまうことが少なく、また、その突起形状Ｅｍの先端側を裏面Ｓｂ側の開口内に適宜に差し込んでコンパクトに積み重ねることを実現しつつ、より確実に取り出すことを可能にする。
【００３５】
したがって、一面側に突起形状Ｅｍが形成されているキッチンペーパーＰの束１０Ｂでも、収納箱１０内に嵩張ることなく収納してパッケージ１０Ｐにすることができ、そのキッチンペーパーＰを快適（美観を損なわないよう）に取出口のスリット１７から引き出すことのできる使い勝手のよい優れたキッチンペーパーパッケージ１０Ｐを提供することができる。
【００３６】
ここで、上述実施形態では、収納箱１０をキッチンペーパーＰの包装体の一例として説明するが、これに限るものではなく、例えば、図７９に示すような収納袋２０でもよい。この収納袋２０は、図７９に示すように、上述の収納箱１０と同様に、２つ折りに畳んだ複数枚のキッチンペーパーＰを積み重ねた束１０Ｂを内部空間に収納しつつ、キッチンペーパーＰを１枚ずつ取り出すことができるスリット２７を開口可能なミシン目２７ｓが上面２１に形成されている。この包装袋２０は、図示することは省略するが、厚さが１０μｍ〜２００μｍ程度の好ましくは、ポリエチレン系樹脂あるいはポリプロピレン系樹脂からなる筒状フィルム内にキッチンペーパーＰの束１０Ｂを差し込んで両端部２０ｅが順次に（同時でもよい）平坦にシールされた後（梱包工程後）に切断されて切り離されることによりパッケージ化されている。なお、収納袋２０のスリット２７も、上述の収納箱１０におけるスリット１７（長穴１５）と同様の寸法比率等の形態で開口可能に形成すればよい。
【００３７】
これにより、収納袋２０においても、内部に収納するキッチンペーパーＰをホコリ等に汚損されずに清潔な状態に維持しつつ、最上面のキッチンペーパーＰが摘まれてスリット２７から引き出される際に、上述の収納箱１０の場合と同様の形態で、後続のキッチンペーパーＰが摩擦力などで引き摺られて、そのスリット２７から半面Ｐｈがスムーズに露出することになって、使い勝手に優れるパッケージ２０Ｐになっている。
【００３８】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００３９】
１０……収納箱
１０Ｂ……キッチンペーパーの束
１０Ｐ、２０Ｐ……キッチンペーパーのパッケージ
１０ｅ……角部
１１、２１……上面
１５……長穴
１６……フィルム
１７、２７……スリット
１７ａ……端部
１７ｆ……開口縁
２０……収納袋
２７ｓ……ミシン目
Ｅｍ……突起形状
Ｐ……キッチンペーパー
Ｐｅ……端辺
Ｐｈ……半面
Ｐｎ……平面形状
Ｐｔ……最上位
Ｓｂ……裏面
Ｓｆ……形成表面
【図１】
2020186010.tif 000003
【図２】
2020186010.tif 000004
【図３】
2020186010.tif 000005
【図４】
2020186010.tif 000006
【図５】
2020186010.tif 000007
【図６】
2020186010.tif 000008
【図７】
2020186010.tif 000009